【手続補正書】
【提出日】平成20年7月4日(2008.7.4)
【手続補正１】
【補正対象書類名】特許請求の範囲
【補正対象項目名】全文
【補正方法】変更
【補正の内容】
【特許請求の範囲】
【請求項１】
酸成分と、グリコール成分と、０〜約５．０モルパーセントの、多官能酸、グリコールおよびそれらの混合物から選択される多官能分岐化剤と、任意成分としての有効量の着色抑制剤とを含む、スルホン化芳香族コポリエステルであって、
前記酸成分が、
ａ．１００モルパーセントの全酸成分を基準にして、９８．９〜１．０モルパーセントの芳香族ジカルボン酸成分、および
ｂ．１００モルパーセントの全酸成分を基準にして、１．０〜９９．０モルパーセントの、乳酸、グリコール酸およびそれらの混合物から選択されるヒドロキシアルカン酸成分、および
ｃ．１００モルパーセントの全酸成分を基準にして、約０．１〜約５．０モルパーセントのスルホネート成分、から本質的になり、
そしてここで、前記グリコール成分が：
ａ．約９９．０〜約１．０モルパーセントの、エチレングリコール、１，３−プロパンジオールおよび１，４−ブタンジオールから選択される単一の第一のグリコール成分、および
ｂ．１００モルパーセントの全グリコール成分を基準にして、０〜約５．０モルパーセントの、１種または複数の第二のグリコール成分を含む、
スルホン化芳香族コポリエステル。
【請求項２】
請求項１に記載のスルホン化芳香族コポリエステルと、少なくとも１種の他のポリマーとを含む、ブレンド。
【請求項３】
請求項１に記載のスルホン化芳香族コポリエステルから成形される、成形物品。
【請求項４】
請求項１に記載のスルホン化芳香族コポリエステルを含む、フィルム。
【請求項５】
請求項１に記載のスルホン化芳香族コポリエステルを含む層を含む、多層フィルム。
【請求項６】
基材と、前記基材の上のコーティングとを含み、前記コーティングが請求項１に記載の芳香族コポリエーテルエステルを含む、物品。
【請求項７】
請求項１に記載のスルホン化芳香族コポリエステルがその上に積層されている基材を含む、物品。
【請求項８】
請求項７に記載の物品を含む、包装材料。
【請求項９】
請求項１に記載のスルホン化芳香族コポリエステルを含む、ラップ。
【請求項１０】
請求項１に記載のスルホン化芳香族コポリエステルを含む、シート。
【請求項１１】
請求項１に記載のスルホン化芳香族コポリエステルを含む、繊維。
【請求項１２】
請求項１に記載のスルホン化芳香族コポリエステル及び充填剤を含む、発泡物品。
【請求項１３】
包装材料を製造するための方法であって、
基材を提供する工程；
前記基材を所望の包装材料の形態に成形する工程；
酸成分と、グリコール成分と、０〜約５．０モルパーセントの、多官能酸、グリコールおよびそれらの混合物から選択される多官能分岐化剤と、任意成分としての有効量の着色抑制剤とを含む、スルホン化芳香族コポリエステルを提供する工程であって、
ここで前記酸成分が、
ａ．１００モルパーセントの全酸成分を基準にして、９８．９〜１．０モルパーセントの芳香族ジカルボン酸成分、および
ｂ．１００モルパーセントの全酸成分を基準にして、１．０〜９９．０モルパーセントの、乳酸、グリコール酸およびそれらの混合物から選択されるヒドロキシアルカン酸成分、および
ｃ．１００モルパーセントの全酸成分を基準にして、約０．１〜約５．０モルパーセントのスルホネート成分、から本質的になり、
そしてここで前記グリコール成分が、
ｃ．約９９．０〜約１．０モルパーセントの、エチレングリコール、１，３−プロパンジオールおよび１，４−ブタンジオールから選択される単一の第一のグリコール成分、０．１〜１０．０モルパーセントのスルホネート成分、および
ｄ．１００モルパーセントの全グリコール成分を基準にして、０〜約５．０モルパーセントの、１種または複数の第二のグリコール成分、を含む工程；ならびに
前記基材を、前記スルホン化芳香族コポリエステルを用いて積層またはコーティングして、前記包装材料を形成する工程、を含む、方法。
【請求項１４】
スルホン化芳香族コポリエステルを製造するための方法であって、
芳香族ジカルボン酸成分と、エチレングリコール、１，３−プロパンジオールおよび１，４−ブタンジオールから選択される第一のグリコール成分と、０．１〜１０．０モルパーセントのスルホネート成分と、０〜５．０モルパーセントの第二のグリコール成分と、任意成分の多官能分岐化剤と、を含む反応混合物を提供する工程；および
前記芳香族ジカルボン酸成分と、前記スルホネート成分と、前記第一のグリコール成分と、前記第二のグリコール成分と、前記多官能分岐化剤とを重合させて、酸成分およびグリコール成分を含むスルホン化芳香族コポリエステルを形成させる工程であって、
ここで前記酸成分が、
ａ．１００モルパーセントの全酸成分を基準にして、９８．９〜１．０モルパーセントの芳香族ジカルボン酸成分、および
ｂ．１００モルパーセントの全酸成分を基準にして、１．０〜９９．０モルパーセントの、乳酸、グリコール酸およびそれらの混合物から選択される、ヒドロキシアルカン酸成分、ならびに
ｃ．１００モルパーセントの全酸成分を基準にして、約０．１〜約５．０モルパーセントのスルホネート成分、から本質的になり、
そしてここで、前記グリコール成分が：
ａ．約９９．０〜約１．０モルパーセントの、エチレングリコール、１，３−プロパンジオールおよび１，４−ブタンジオールから選択される単一の第一のグリコール成分、０．１〜１０．０モルパーセントのスルホネート成分、および
ｂ．１００モルパーセントの全グリコール成分を基準にして、０〜約５．０モルパーセントの、１種または複数の第二のグリコール成分、を含む工程を含む方法。
【手続補正２】
【補正対象書類名】明細書
【補正対象項目名】０３２４
【補正方法】変更
【補正の内容】
【０３２４】
表２０
2008506022.tif 000001
次に、本発明の好ましい態様を示す。
1.  酸成分と、グリコール成分と、０〜約５．０モルパーセントの、多官能酸、グリコールおよびそれらの混合物から選択される多官能分岐化剤と、任意成分としての有効量の着色抑制剤とを含む、スルホン化芳香族コポリエステルであって、
前記酸成分が、
ａ．１００モルパーセントの全酸成分を基準にして、９８．９〜１．０モルパーセントの芳香族ジカルボン酸成分、および
ｂ．１００モルパーセントの全酸成分を基準にして、１．０〜９９．０モルパーセントの、乳酸、グリコール酸およびそれらの混合物から選択されるヒドロキシアルカン酸成分、および
ｃ．１００モルパーセントの全酸成分を基準にして、約０．１〜約５．０モルパーセントのスルホネート成分、から本質的になり、
そしてここで、前記グリコール成分が：
ａ．約９９．０〜約１．０モルパーセントの、エチレングリコール、１，３−プロパンジオールおよび１，４−ブタンジオールから選択される単一の第一のグリコール成分、および
ｂ．１００モルパーセントの全グリコール成分を基準にして、０〜約５．０モルパーセントの、１種または複数の第二のグリコール成分を含む、
スルホン化芳香族コポリエステル。
2.  トリフルオロ酢酸：ジクロロメタン（５０：５０溶液）溶媒系中の前記コポリエステルの０．５パーセント溶液について室温で測定したときに、少なくとも０．１５のインヘレント粘度を有する、上記１に記載のスルホン化芳香族コポリエステル。
3.  前記インヘレント粘度が少なくとも０．３５ｄＬ／ｇである、上記２に記載のスルホン化芳香族コポリエステル。
4.  前記第二のグリコール成分が、エチレングリコール、１，３−プロパンジオール、１，６−ヘキサンジオール、１，８−オクタンジオール、１，１０−デカンジオール、１，１２−ドデカンジオール、１，１４−テトラデカンジオール、１，１６−ヘキサデカンジオール、ダイマージオール、４，８−ビス（ヒドロキシメチル）−トリシクロ［５．２．１．０／２．６］デカン、１，４−シクロヘキサンジメタノール、イソソルビド、ジ（エチレングリコール）、トリ（エチレングリコール）、分子量範囲が約５００〜約４０００のポリ（アルキレンエーテル）グリコール、およびそれらから誘導される混合物からなる群より選択される、上記１に記載のスルホン化芳香族コポリエステル。
5.  前記スルホネート成分が、５−スルホイソフタル酸の金属塩および５−スルホイソフタル酸ジメチルの金属塩からなる群より選択される、上記１に記載のスルホン化芳香族コポリエステル。
6.  前記芳香族ジカルボン酸成分が：テレフタル酸、テレフタル酸ジメチル、テレフタル酸ビス（２−ヒドロキシエチル）、テレフタル酸ビス（３−ヒドロキシプロピル）、テレフタル酸ビス（４−ヒドロキシブチル）、イソフタル酸、イソフタル酸ジメチル、イソフタル酸ビス（２−ヒドロキシエチル）、イソフタル酸ビス（３−ヒドロキシプロピル）、イソフタル酸ビス（４−ヒドロキシブチル）；２，６−ナフタレンジカルボン酸、２，６−ナフタル酸ジメチル、２，７−ナフタレンジカルボン酸、２，７−ナフタル酸ジメチル、３，４’−ジフェニルエーテルジカルボン酸、３，４’ジフェニルエーテルジカルボン酸ジメチル、４，４’−ジフェニルエーテルジカルボン酸、４，４’−ジフェニルエーテルジカルボン酸ジメチル、３，４’−ジフェニルスルフィドジカルボン酸、３，４’−ジフェニルスルフィドジカルボン酸ジメチル、４，４’−ジフェニルスルフィドジカルボン酸、４，４’−ジフェニルスルフィドジカルボン酸ジメチル、３，４’−ジフェニルスルホンジカルボン酸、３，４’−ジフェニルスルホンジカルボン酸ジメチル、４，４’−ジフェニルスルホンジカルボン酸、４，４’−ジフェニルスルホンジカルボン酸ジメチル、３，４’−ベンゾフェノンジカルボン酸、３，４’−ベンゾフェノンジカルボン酸ジメチル、４，４’−ベンゾフェノンジカルボン酸、４，４’−ベンゾフェノンジカルボン酸ジメチル、１，４−ナフタレンジカルボン酸、１，４−ナフタル酸ジメチル、４，４’−メチレンビス（安息香酸）、４，４’−メチレンビス（安息香酸）ジメチル、およびそれらから誘導される混合物からなる群より選択される、上記１に記載のスルホン化芳香族コポリエステル。
7.  前記酸成分が、約９８．９〜約３０モルパーセントの前記芳香族ジカルボン酸成分を含む、上記１に記載のスルホン化芳香族コポリエステル。
8.  前記酸成分が、約９８．９〜約５０モルパーセントの前記芳香族ジカルボン酸成分を含む、上記１に記載のスルホン化芳香族コポリエステル。
9.  前記酸成分が、約９５〜約５０モルパーセントの前記芳香族ジカルボン酸成分を含む、上記１に記載のスルホン化芳香族コポリエステル。
10.  前記酸成分が、約１〜約７０モルパーセントの前記ヒドロキシアルカン酸成分を含む、上記１に記載のスルホン化芳香族コポリエステル。
11.  前記酸成分が、約１〜約５０モルパーセントの前記ヒドロキシアルカン酸成分を含む、上記１に記載のスルホン化芳香族コポリエステル。
12.  前記酸成分が、約５〜約５０モルパーセントの前記ヒドロキシアルカン酸成分を含む、上記１に記載のスルホン化芳香族コポリエステル。
13.  前記分岐化剤が：１，２，４−ベンゼントリカルボン酸；１，２，４−ベンゼントリカルボン酸トリメチル；１，２，４−ベンゼントリカルボン酸トリス（２−ヒドロキシエチル）；１，２，４−ベンゼントリカルボン酸トリス（３−ヒドロキシプロピル）；１，２，４−ベンゼントリカルボン酸トリス（４−ヒドロキシブチル）；１，２，４−ベンゼントリカルボン酸無水物；１，３，５−ベンゼントリカルボン酸；１，２，４，５−ベンゼンテトラカルボン酸；１，２，４，５−ベンゼンテトラカルボン酸二無水物；３，３’，４，４’−ベンゾフェノンテトラカルボン酸二無水物；１，４，５，８−ナフタレンテトラカルボン酸二無水物；クエン酸；テトラヒドロフラン−２，３，４，５−テトラカルボン酸；１，３，５−シクロヘキサントリカルボン酸；ペンタエリスリトール；グリセロール；２−（ヒドロキシメチル）−１，３−プロパンジオール；２，２−ビス（ヒドロキシメチル）プロピオン酸；およびそれらから誘導される混合物からなる群より選択される、上記１に記載のスルホン化芳香族コポリエステル。
14.  少なくとも約０．３５ｄＬ／ｇのインヘレント粘度を有する、上記１に記載のスルホン化芳香族コポリエステル。
15.  少なくとも約０．６５ｄＬ／ｇのインヘレント粘度を有する、上記１に記載のスルホン化芳香族コポリエステル。
16.  充填剤をさらに含む、上記１に記載のスルホン化芳香族コポリエステル。
17.  前記充填剤が、第一の平均粒径を有する第一の粒子の組と、第二の平均粒径を有する第二の粒子の組とを含み、第二の平均粒径が、前記第一の平均粒径の少なくとも約２倍である、上記１６に記載のスルホン化芳香族コポリエステル。
18.  前記充填剤が、約４０ミクロン未満の平均直径を有する粒子から本質的になる、上記１６に記載のスルホン化芳香族コポリエステル。
19.  前記充填剤が、約２０ミクロン未満の平均直径を有する粒子から本質的になる、上記１６に記載のスルホン化芳香族コポリエステル。
20.  上記１に記載のスルホン化芳香族コポリエステルと、少なくとも１種の他のポリマーとを含む、ブレンド。
21.  前記他のポリマーが生分解性である、上記２０に記載のブレンド。
22.  前記生分解性ポリマーが、ポリ（ヒドロキシアルカノエート）、ポリカーボネート、ポリ（カプロラクトン）、脂肪族ポリエステル、芳香族コポリエステル、脂肪族−芳香族コポリエーテルエステル、脂肪族−芳香族コポリアミドエステル、スルホン化脂肪族−芳香族コポリエステル、スルホン化脂肪族−芳香族コポリエーテルエステル、スルホン化脂肪族−芳香族コポリアミドエステル、およびそれらから誘導される混合物からなる群より選択される、上記２１に記載のブレンド。
23.  前記他のポリマーが非生分解性である、上記２１に記載のブレンド。
24.  前記他のポリマーが天然ポリマーである、上記２１に記載のブレンド。
25.  前記天然ポリマーがデンプンである、上記２４に記載のブレンド。
26.  上記１に記載のスルホン化芳香族コポリエステルから成形される、成形物品。
27.  フィルム、シート、繊維、メルトブローン容器、成形部品、および発泡部品からなる群より選択される、上記２６に記載の成形物品。
28.  上記１に記載のスルホン化芳香族コポリエステルを含む、フィルム。
29.  約０．０２５ｍｍ〜約０．１５ｍｍの厚みを有する、上記２８に記載のフィルム。
30.  上記２８に記載の配向フィルム。
31.  前記フィルムが２軸配向されている、上記３０に記載のフィルム。
32.  前記フィルムが１軸配向されている、上記３０に記載のフィルム。
33.  上記１に記載のスルホン化芳香族コポリエステルを含む層を含む、多層フィルム。
34.  基材と、前記基材の上のコーティングとを含み、前記コーティングが上記１に記載の芳香族コポリエーテルエステルを含む、物品。
35.  前記コーティングが、約０．２〜約１５ミルの厚みを有する、上記３４に記載の物品。
36.  前記コーティングが、約０．５〜約２ミルの厚みを有する、上記３４に記載の物品。
37.  前記基材が、織物、不織布、フォイル、紙、板紙、および金属からなる群より選択される、上記３４に記載の物品。
38.  上記１に記載のスルホン化芳香族コポリエステルがその上に積層されている基材を含む、物品。
39.  前記基材が、紙、板紙、厚紙、ファイバーボード、セルロース、デンプン、プラスチック、ポリスチレンフォーム、ガラス、金属、ポリマーフォーム、有機フォーム、無機フォーム、有機−無機フォーム、およびポリマーフィルムからなる群より選択される、上記３８に記載の物品。
40.  上記３８に記載の物品を含む、包装材料。
41.  上記１に記載のスルホン化芳香族コポリエステルを含む、ラップ。
42.  上記１に記載のスルホン化芳香族コポリエステルを含む、シート。
43.  少なくとも約０．５０ｍｍの厚みを有する、上記４２に記載のシート。
44.  上記１に記載のスルホン化芳香族コポリエステルを含む、繊維。
45.  約０．１〜約１００のデニールを有する、上記４４に記載の繊維。
46.  約０．５〜２０のデニールを有する、上記４４に記載の繊維。
47.  上記１に記載のスルホン化芳香族コポリエステルと、少なくとも１種の他のポリマーとを含む、繊維。
48.  前記繊維が、前記スルホン化芳香族コポリエステルと１種または複数の天然繊維とのブレンドを含む、上記４４に記載の繊維。
49.  前記繊維が異種繊維である、上記４４に記載の繊維。
50.  上記１６に記載のスルホン化芳香族コポリエステルを含む、発泡物品。
51.  上記１６に記載のスルホン化芳香族コポリエステルから成形される、成形物品。
52.  フィルム、シート、繊維、メルトブローン容器、成形部品、および発泡部品からなる群より選択される、上記５１に記載の成形物品。
53.  上記１６に記載のスルホン化芳香族コポリエステルを含む、フィルム。
54.  約０．０２５ｍｍ〜約０．１５ｍｍの厚みを有する、上記５３に記載のフィルム。
55.  上記５３に記載の配向フィルム。
56.  上記１６に記載のスルホン化芳香族コポリエステルを含む層を含む、多層フィルム。
57.  基材と、前記基材の上のコーティングとを含み、前記コーティングが上記１６に記載のスルホン化芳香族コポリエステルを含む、物品。
58.  上記１６に記載のスルホン化芳香族コポリエステルがその上に積層されている基材を含む、物品。
59.  上記１６に記載のスルホン化芳香族コポリエステルを含む、ラップ。
60.  上記１６に記載のスルホン化芳香族コポリエステルを含む、シート。
61.  上記２０に記載のブレンドを含む、発泡物品。
62.  上記２０に記載のブレンドから成形される、成形物品。
63.  フィルム、シート、繊維、メルトブローン容器、成形部品、および発泡部品からなる群より選択される、上記６２に記載の成形物品。
64.  上記２０に記載のブレンドを含む、フィルム。
65.  約０．０２５ｍｍ〜約０．１５ｍｍの厚みを有する、上記６４に記載のフィルム。
66.  上記６４に記載の配向フィルム。
67.  上記２０に記載のブレンドを含む層を含む、多層フィルム。
68.  基材と、前記基材の上のコーティングとを含み、前記コーティングが上記２０に記載のブレンドを含む、物品。
69.  上記２０に記載のブレンドをその上に積層させた基材を含む、物品。
70.  上記２０に記載のブレンドを含む、ラップ。
71.  上記２０に記載のブレンドを含む、シート。
72.  包装材料を製造するための方法であって、
基材を提供する工程；
前記基材を所望の包装材料の形態に成形する工程；
酸成分と、グリコール成分と、０〜約５．０モルパーセントの、多官能酸、グリコールおよびそれらの混合物から選択される多官能分岐化剤と、任意成分としての有効量の着色抑制剤とを含む、スルホン化芳香族コポリエステルを提供する工程であって、
ここで前記酸成分が、
ａ．１００モルパーセントの全酸成分を基準にして、９８．９〜１．０モルパーセントの芳香族ジカルボン酸成分、および
ｂ．１００モルパーセントの全酸成分を基準にして、１．０〜９９．０モルパーセントの、乳酸、グリコール酸およびそれらの混合物から選択されるヒドロキシアルカン酸成分、および
ｃ．１００モルパーセントの全酸成分を基準にして、約０．１〜約５．０モルパーセントのスルホネート成分、から本質的になり、
そしてここで前記グリコール成分が、
ｃ．約９９．０〜約１．０モルパーセントの、エチレングリコール、１，３−プロパンジオールおよび１，４−ブタンジオールから選択される単一の第一のグリコール成分、０．１〜１０．０モルパーセントのスルホネート成分、および
ｄ．１００モルパーセントの全グリコール成分を基準にして、０〜約５．０モルパーセントの、１種または複数の第二のグリコール成分、を含む工程；ならびに
前記基材を、前記スルホン化芳香族コポリエステルを用いて積層またはコーティングして、前記包装材料を形成する工程、を含む、方法。
73.  前記基材が、紙、板紙、無機フォーム、有機フォーム、および無機−有機フォームからなる群より選択される材料を含む、上記７２に記載の方法。
74.  前記包装材料形態が、ラッパー、延伸ラップフィルム、袋物、コップ、トレー、カートン、箱、ビン、クレート、包装フィルム、プリスターパックラッパー、スキンパック、およびヒンジ付き容器からなる群より選択される、上記７２に記載の方法。
75.  スルホン化芳香族コポリエステルを製造するための方法であって、
芳香族ジカルボン酸成分と、エチレングリコール、１，３−プロパンジオールおよび１，４−ブタンジオールから選択される第一のグリコール成分と、０．１〜１０．０モルパーセントのスルホネート成分と、０〜５．０モルパーセントの第二のグリコール成分と、任意成分の多官能分岐化剤と、を含む反応混合物を提供する工程；および
前記芳香族ジカルボン酸成分と、前記スルホネート成分と、前記第一のグリコール成分と、前記第二のグリコール成分と、前記多官能分岐化剤とを重合させて、酸成分およびグリコール成分を含むスルホン化芳香族コポリエステルを形成させる工程であって、
ここで前記酸成分が、
ａ．１００モルパーセントの全酸成分を基準にして、９８．９〜１．０モルパーセントの芳香族ジカルボン酸成分、および
ｂ．１００モルパーセントの全酸成分を基準にして、１．０〜９９．０モルパーセントの、乳酸、グリコール酸およびそれらの混合物から選択される、ヒドロキシアルカン酸成分、ならびに
ｃ．１００モルパーセントの全酸成分を基準にして、約０．１〜約５．０モルパーセントのスルホネート成分、から本質的になり、
そしてここで、前記グリコール成分が：
ａ．約９９．０〜約１．０モルパーセントの、エチレングリコール、１，３−プロパンジオールおよび１，４−ブタンジオールから選択される単一の第一のグリコール成分、０．１〜１０．０モルパーセントのスルホネート成分、および
ｂ．１００モルパーセントの全グリコール成分を基準にして、０〜約５．０モルパーセントの、１種または複数の第二のグリコール成分、を含む工程を含む方法。
76.  ゼロモルパーセントの前記第二のグリコール成分を含む、上記１に記載の組成物。
77.  ポリマーの重量を基準にして０．００１〜５重量パーセントの着色抑制剤を含む、上記１に記載の組成物。